(57)【要約】【課題】フロン回収事業者の負担を軽減することができるフロン回収容器保管庫を実現する。【解決手段】前面に施錠可能なシャッター扉12を備えた直方体形状の箱体14の左側壁に通気口としてのガラリ16を設けると共に右側壁に換気ファン18を設け、また、上記箱体14の上壁外面に載置される屋根板部20ａを備えた屋根20を、箱体14の上壁外面に配置し、さらに、箱体14内部に、フロン回収容器を収納する施錠可能な複数のロッカー22を配置したフロン回収容器保管庫10。【選択図】図５
2015025526.tif 000002
【特許請求の範囲】
【請求項１】
扉を備えた箱体と、該箱体の内部に配置され、フロン回収容器を収納する施錠可能な複数のロッカーを備えたことを特徴とするフロン回収容器保管庫。
【請求項２】
扉を備えた箱体と、該箱体の内部に配置され、フロン回収容器を収納する施錠可能な複数のロッカーと、上記ロッカーの上方に配置される水槽と、該水槽に向かって空気を吹き付ける冷却ファンを備えたことを特徴とするフロン回収容器保管庫。
【請求項３】
上記箱体の側壁に、通気口及び換気ファンを設けたことを特徴とする請求項１又は２に記載のフロン回収容器保管庫。
【請求項４】
上記箱体の上壁外面に載置される屋根板部を備えた屋根を、箱体の上壁外面に配置したことを特徴とする請求項１〜３の何れかに記載のフロン回収容器保管庫。
【発明の詳細な説明】
【技術分野】
【０００１】
この発明は、フロン回収装置によって回収した液化フロンを充填して成るフロン回収容器を保管するためのフロン回収容器保管庫に関し、特に、複数のフロン回収事業者で共用することができるフロン回収容器保管庫に関する。
【背景技術】
【０００２】
従来より、家庭、オフィス、工場、学校、病院等で使用されている空調機や冷蔵庫等の冷媒としてフロンガスが用いられている。
フロンガスは大気中に放出されると、オゾン層破壊や地球温暖化の原因となるため、フロンガス使用製品の廃棄時や、フロンガスを使用した冷媒部品の修理・交換時において、フロンガスの回収及び無害化処理が行われている。
【０００３】
図１４は、フロンガス回収方法を示す説明図であり、フロンガスを使用した冷媒部品60を有する空調機62と、フロン回収装置64と、フロン回収容器66を回収管68を介して接続した上で、空調機62の冷媒部品60内のフロンガスを、フロン回収装置64の圧縮機（コンプレッサ）70で吸引・圧縮した後、凝縮機（コンデンサ）72で凝縮して液化フロンと成し、この液化フロンをフロン回収容器66へ充填している。
【０００４】
液化フロンが充填されたフロン回収容器66は、各フロン回収事業者の事業所敷地内等において保管され、所定数量のフロン回収容器66が溜まった段階でフロン処分会社へと運搬された後、無害化処理が施されている。
【発明の概要】
【発明が解決しようとする課題】
【０００５】
上記したフロンガスの回収・無害化処理においては、フロンガスの回収を担うフロン回収事業者は、液化フロンを充填したフロン回収容器を保管するための敷地や設備を自前で用意する必要があった。
【０００６】
しかしながら、高圧ガス保安法に基づく「一般高圧ガス保安規則」により、フロン回収容器の保管には、例えば「容器置場は、境界線で明示し、外部から見やすいように警戒標を掲げる」、「充填容器等は、常に温度を４０℃以下に保つ」、「容器置場の２ｍ以内には火気又は引火性もしくは発火性の物を置かない」等の規制があることから、規制に適合する保管場所を自前で確保することは、零細・小規模なフロン回収事業者にとって大きな負担となっていた。
【０００７】
特に近年、従来使用されていた旧フロンガスのＲ−２２に代わって、オゾン破壊係数が０の新フロンガスＲ４１０Ａが使用されるようになっているが、この新フロンガスＲ４１０Ａは、そのガス圧が旧フロンガスＲ−２２の約１．６倍も高いことから、今後、回収量の急増が予想される新フロンガスＲ４１０Ａの回収は、旧フロンガスＲ−２２の回収に比べて回収効率の低下を招くことが必至であり、斯かるフロン回収効率の悪化と相俟って、零細・小規模なフロン回収事業者の負担増大が想定される状況となっている。
尚、本出願人は、フロン回収容器内の液化フロンの飽和圧力を低く抑制でき、高効率でフロン回収を行うことができる技術として、先に、特開２０１０−２６１６５７号「液化フロン用圧力抑制装置」及び特願２０１２−９７３０１号「液化フロン用圧力抑制装置」を提案している。
【０００８】
本発明は、上記問題に鑑みてなされたものであり、その目的とするところは、フロン回収事業者の負担を軽減することができるフロン回収容器保管庫を実現することにある。
【課題を解決するための手段】
【０００９】
上記目的を達成するため、本発明の請求項１に記載のフロン回収容器保管庫は、
扉を備えた箱体と、該箱体の内部に配置され、フロン回収容器を収納する施錠可能な複数のロッカーを備えたことを特徴とする。
【００１０】
請求項２に記載のフロン回収容器保管庫は、
扉を備えた箱体と、該箱体の内部に配置され、フロン回収容器を収納する施錠可能な複数のロッカーと、上記ロッカーの上方に配置される水槽と、該水槽に向かって空気を吹き付ける冷却ファンを備えたことを特徴とする。
【００１１】
請求項３に記載のフロン回収容器保管庫は、請求項１又は２に記載のフロン回収容器保管庫において、
上記箱体の側壁に、通気口及び換気ファンを設けたことを特徴とする。
【００１２】
請求項４に記載のフロン回収容器保管庫は、請求項１〜３の何れかに記載のフロン回収容器保管庫において、
上記箱体の上壁外面に載置される屋根板部を備えた屋根を、箱体の上壁外面に配置したことを特徴とする。
【発明の効果】
【００１３】
本発明の請求項１に記載のフロン回収容器保管庫にあっては、扉を備えた箱体内部に施錠可能な複数のロッカーを配置しているので、このフロン回収容器保管庫を適宜な場所に設置しておけば、利用を希望する複数のフロン回収事業者は、持ち込んだフロン回収容器を空いているロッカーに収納して施錠することにより必要期間保管することができる。このため、本発明のフロン回収容器保管庫を用いることにより、各フロン回収事業者は、自前でフロン回収容器を保管するための敷地や設備を用意する必要が無くなるので、フロン回収事業者の負担を軽減することができる。
【００１４】
本発明の請求項２に記載のフロン回収容器保管庫にあっては、箱体内部のロッカー上方に水槽を配置すると共に水槽に向かって空気を吹き付ける冷却ファンを設けているので、水槽に水を注入した上で冷却ファンを介して水槽に向かって空気を吹き付ければ、水の気化熱によって箱体内部の温度上昇を効果的に抑制することができる。
【００１５】
請求項３に記載のフロン回収容器保管庫の如く、請求項１又は２に記載のフロン回収容器保管庫において、箱体の側壁に、通気口及び換気ファンを設けた場合には、箱体内部の空気を流通・換気させることができ、熱が箱体内部に籠もることを防止できる。
【００１６】
請求項４に記載のフロン回収容器保管庫の如く、請求項１〜３の何れかに記載のフロン回収容器保管庫において、箱体の上壁外面に載置される屋根板部を備えた屋根を、箱体の上壁外面に配置した場合には、箱体の上壁と屋根板部との断熱二重構造となるので、直射日光の照射を受けた場合における箱体内部の温度上昇を抑制することができる。
【発明を実施するための最良の形態】
【００１７】
図１〜図６は本発明に係る第１のフロン回収容器保管庫10を示すものであり、図１は斜視図、図２は正面図、図３は右側面図、図４は左側面図、図５はシャッター扉12を開けた状態を示す斜視図、図６はシャッター扉12を開けた状態を示す正面図である。
【００１８】
本発明に係る第１のフロン回収容器保管庫10は、前面に横引き式のシャッター扉12を備えたステンレス等の金属材より成る直方体形状の箱体14を備えている。尚、シャッター扉12には把手部12ａと錠部12ｂが設けられており、上記錠部12ｂにより施錠可能となっている。
【００１９】
上記箱体14の左側壁には通気口としてのガラリ16が設けられている（図４参照）と共に、右側壁には換気ファン18が設けられており（図３参照）、箱体14内部の空気を流通・換気させることができるようになっている。
【００２０】
箱体14の上壁外面には、ステンレス等の金属材より成る屋根20が配置されている。該屋根20は、箱体14の上壁外面上に載置される屋根板部20ａと、該屋根板部20ａの前方端部から所定角度で立設する広告板部20ｂを有している。広告板部20ｂには、任意の広告情報等を表示することができ、因みに図１及び図２においては、第１のフロン回収容器保管庫10の名称としての「フロンステーション」の文字と「防犯カメラ作動中」の文字が表示されている。
【００２１】
図５及び図６に示すように、箱体14内部には、フロン回収容器を収納する施錠可能な複数のロッカー22が配置されている。図５及び図６に示すロッカー22は、いわゆるコインロッカーであり、コイン（硬貨）を投入後、キー22ａの回動動作によりロッカー扉22ｂの施錠・開錠を行うことができる仕組みとなっている。
【００２２】
図５及び図６において、24は箱体14内部を照らすための照明であり、26は箱体14内部の状況を撮影する防犯用の監視カメラ、28はシャッター扉12の収納ボックスである。
【００２３】
本発明に係る第１のフロン回収容器保管庫10にあっては、シャッター扉12を備えた箱体14内部に施錠可能な複数のロッカー22を配置しているので、第１のフロン回収容器保管庫10を適宜な場所に設置しておけば、利用を希望する複数のフロン回収事業者は、持ち込んだフロン回収容器を空いているロッカー22に収納して施錠することにより必要期間保管することができる。このため、本発明の第１のフロン回収容器保管庫10を用いることにより、各フロン回収事業者は、自前でフロン回収容器を保管するための敷地や設備を用意する必要が無くなるので、フロン回収事業者の負担を軽減することができる。
【００２４】
本発明に係る第１のフロン回収容器保管庫10の設置・保守管理を行う運営事業者が、利用するフロン回収事業者から利用料を徴収する場合、上記ロッカー22として「コインロッカー」を用いれば、利用料金の徴収を容易に行うことができる。
尚、「コインロッカー」に代えて他の施錠可能なロッカー22を用いることも勿論可能である。この場合には、例えば、利用を希望するフロン回収事業者と月極等の利用契約を締結した上でロッカー22のキーを交付しておき、利用料は別途徴収すれば良い。
【００２５】
また、シャッター扉12の開閉を行うキーについては、第１のフロン回収容器保管庫10の運営事業者のみが保有しておくと共に営業時間内は開錠しておく方法や、２４時間営業に対応するため、利用契約を締結したフロン回収事業者に合鍵を交付しておく方法等、適宜な方法を用いることができる。
【００２６】
尚、フロン回収事業者の負担をより一層軽減する観点から、第１のフロン回収容器保管庫10の運営事業者が、ロッカー22に収容可能なフロン回収容器をフロン回収事業者にレンタルしたり、或いは、ロッカー22に収納されたフロン回収容器のフロン処分会社への運搬を代行するようにしても良い。
【００２７】
本発明の上記第１のフロン回収容器保管庫10は、上記の通り、箱体14の左側壁に通気口としてのガラリ16を設けると共に右側壁に換気ファン18が設けているので、箱体14内部の空気を流通・換気させることができ、熱が箱体14内部に籠もることを防止できる。
【００２８】
また、本発明の上記第１のフロン回収容器保管庫10は、箱体14の上壁外面に載置される屋根板部20ａを備えた屋根20を、箱体14の上壁外面に配置したことにより、箱体14の上壁と屋根板部20ａとの断熱二重構造となるので、直射日光の照射を受けた場合における箱体14内部の温度上昇を抑制することができる。
【００２９】
図７〜図１３は本発明に係る第２のフロン回収容器保管庫30を示すものであり、図７は斜視図、図８は正面図、図９は右側面図、図１０は左側面図、図１１はシャッター扉12を開けた状態を示す斜視図、図１２はシャッター扉12を開けた状態を示す正面図、図１３は図１２のＡ−Ａ’断面図である。
【００３０】
この第２のフロン回収容器保管庫30は、図１１〜図１３に示すように、箱体14内部のロッカー22上方に水槽32を配置すると共に、水槽32の上方から該水槽32に向かって空気を吹き付ける冷却ファン34を設けた点に特徴を有するものであり、その他の構造は上記第１のフロン回収容器保管庫10と実質的に同じである。    
【００３１】
本発明に係る第２のフロン回収容器保管庫30にあっては、箱体14内部のロッカー22上方に水槽32を配置すると共に水槽32に向かって空気を吹き付ける冷却ファン34を設けているので、水槽32に水33（図１３参照）を注入した上で冷却ファン34を介して水槽32に向かって空気を吹き付ければ、水33の気化熱によって箱体14内部の温度上昇を効果的に抑制することができる。
【図面の簡単な説明】
【００３２】
【図１】本発明に係る第１のフロン回収容器保管庫を示す斜視図である。
【図２】本発明に係る第１のフロン回収容器保管庫を示す正面図である。
【図３】本発明に係る第１のフロン回収容器保管庫を示す右側面図である。
【図４】本発明に係る第１のフロン回収容器保管庫を示す左側面図である。
【図５】シャッター扉を開けた状態の第１のフロン回収容器保管庫を示す斜視図である。
【図６】シャッター扉を開けた状態の第１のフロン回収容器保管庫を示す正面図である。
【図７】本発明に係る第２のフロン回収容器保管庫を示す斜視図である。
【図８】本発明に係る第２のフロン回収容器保管庫を示す正面図である。
【図９】本発明に係る第２のフロン回収容器保管庫を示す右側面図である。
【図１０】本発明に係る第２のフロン回収容器保管庫を示す左側面図である。
【図１１】シャッター扉を開けた状態の第２のフロン回収容器保管庫を示す斜視図である。
【図１２】シャッター扉を開けた状態の第２のフロン回収容器保管庫を示す正面図である。
【図１３】図１２のＡ−Ａ’断面図である。
【図１４】フロンガスの回収方法を示す説明図である。
【符号の説明】
【００３３】
10    第１のフロン回収容器保管庫
12    シャッター扉
12ａ  把手部
12ｂ  錠部
14    箱体
16    ガラリ
18    換気ファン
20    屋根
20ａ  屋根板部
20ｂ  広告板部
22    ロッカー
22ａ  キー
22ｂ  ロッカー扉
24    照明
26    監視カメラ
28    シャッター扉の収納ボックス
30    第２のフロン回収容器保管庫
32    水槽
33    水
34    冷却ファン
【図１】
2015025526.tif 000003
【図２】
2015025526.tif 000004
【図３】
2015025526.tif 000005
【図４】
2015025526.tif 000006
【図５】
2015025526.tif 000007
【図６】
2015025526.tif 000008
【図７】
2015025526.tif 000009
【図８】
2015025526.tif 000010
【図９】
2015025526.tif 000011
【図１０】
2015025526.tif 000012
【図１１】
2015025526.tif 000013
【図１２】
2015025526.tif 000014
【図１３】
2015025526.tif 000015
【図１４】
2015025526.tif 000016